(57)【要約】    【課題】  親機及び子機で構成された無線通信装置において、合成音声を子機側で聞き易くすることができる無線通信装置及び方法、並びにプログラムを提供することにある。    【解決手段】  無線通信装置１１０は、公衆回線１０２を収容する電話機能付きＦＡＸ１００と、ＦＡＸ１００と無線通信可能な複数の子機１０１ａ，１０１ｂ，１０１ｃ，…とから構成され、ＦＡＸ１００は、文字データを音声合成して音声信号を出力する機能を有する。相手端末１０３をも収容している公衆回線１０２には、インターネット１０５間のデータの変換処理を行うＧＷ１０４を介して、プロバイダを介して所望のサーバにアクセスし情報を得ることができるインターネット１０５が接続されている。【選択図】      図１
2005110137.tif 000002
【特許請求の範囲】
【請求項１】
公衆回線を収容する親機と、前記親機と無線通信可能な複数の子機とから構成される無線通信装置において、
前記親機は、文字データを記憶する第１の記憶手段と、前記子機の１つにおける音声合成パラメータを設定する設定手段と、前記設定された子機の１つにおける音声合成パラメータを記憶する第２の記憶手段と、前記音声合成パラメータに基づいて前記文字データを音声合成して音声合成信号を出力する音声合成手段と、前記出力された音声合成信号を前記子機の１つに送信する送信手段とを備え、
前記子機は、前記親機の音声合成手段に前記文字データの音声合成を行うように要求する要求手段と、前記親機から送信された音声合成信号に基づいて音声を出力する音声出力手段とを備えることを特徴とする無線通信装置。
【請求項２】
前記親機は、前記音声合成手段が作動しないように指令する指令手段を備えることを特徴とする請求項１記載の無線通信装置。
【請求項３】
前記子機は、その子機自体の音声合成パラメータを記憶する第３の記憶手段と、当該音声合成パラメータを前記親機に送信する送信する他の送信手段とを備えることを特徴とする請求項１又は２記載の無線通信装置。
【請求項４】
公衆回線を収容する親機と、前記親機と無線通信可能な複数の子機とから構成される無線通信装置の無線通信方法において、
前記親機により、文字データを記憶する第１の記憶ステップと、前記子機の１つにおける音声合成パラメータを設定する設定ステップと、前記設定された子機の１つにおける音声合成パラメータを記憶する第２の記憶ステップと、前記音声合成パラメータに基づいて前記文字データを音声合成して音声合成信号を出力する音声合成ステップと、前記出力された音声合成信号を前記子機の１つに送信する送信ステップとを実行し、
前記子機により、前記親機の音声合成手段に前記文字データの音声合成を行うように要求する要求ステップと、前記親機から送信された音声合成信号に基づいて音声を出力する音声出力ステップとを実行することを特徴とする無線通信方法。
【請求項５】
公衆回線を収容する親機と、前記親機と無線通信可能な複数の子機とから構成される無線通信装置の無線通信方法をコンピュータに実行させる無線通信プログラムであって、
前記親機に対して、文字データを記憶する第１の記憶モジュールと、前記子機の１つにおける音声合成パラメータを設定する設定モジュールと、前記設定された子機の１つにおける音声合成パラメータを記憶する第２の記憶ステップと、前記音声合成パラメータに基づいて前記文字データを音声合成して音声合成信号を出力する音声合成モジュールと、前記出力された音声合成信号を前記子機の１つに送信する送信モジュールとを備え、
前記子機に対して、前記親機の音声合成モジュールに前記文字データの音声合成を行うように要求する要求モジュールと、前記親機から送信された音声合成信号に基づいて音声を出力する音声出力スモジュールとを備えることを特徴とする無線通信プログラム。
【発明の詳細な説明】
【技術分野】
【０００１】
本発明は、無線通信装置及び方法、並びにプログラムに関し、特に、公衆回線を介してメールの送受信する際にメールを読上げる音声合成機能を有する無線通信装置に関する。
【背景技術】
【０００２】
従来の公衆回線を収容する親機が音声合成機能を有し、子機からの要求により、予めメモリに記憶している文字データを音声信号に変換して子機に送出する通信装置が知られている（例えば、特許文献１参照）。
【０００３】
また、親機の音声合成機能として、受信した文字データの特定の文字や、送信者等のメールアドレスや電話番号に応じて文字データの読上げ方を変更する通信装置が提案されている（例えば、特許文献２参照）。
【特許文献１】特開２００１−１９７５４０号公報
【特許文献２】特開平６−１６４７４１２１号公報
【発明の開示】
【発明が解決しようとする課題】
【０００４】
しかしながら、特許文献１の親機は、その音声合成機能により音声信号を子機に転送することができるが、合成された音声が子機側で聞き易いか否かについては、必ずしもそれが聞き易くなかった。
【０００５】
また、特許文献２の通信装置は、確かに、受信したデータの差出人名、電話番号、メールアドレス等に基づいて、音声合成の読み上げ方法、例えば音量、音質、読み上げ速度を変更しているが、合成された音声が子機側で聞き易いか否かは、保証できなかった。
【０００６】
本発明の目的は、親機及び子機で構成された無線通信装置において、合成音声を子機側で聞き易くすることができる無線通信装置及び方法、並びにプログラムを提供することにある。
【課題を解決するための手段】
【０００７】
上記目的を達成するために、請求項１記載の無線通信装置は、公衆回線を収容する親機と、前記親機と無線通信可能な複数の子機とから構成される無線通信装置において、前記親機は、文字データを記憶する第１の記憶手段と、前記子機の１つにおける音声合成パラメータを設定する設定手段と、前記設定された子機の１つにおける音声合成パラメータを記憶する第２の記憶手段と、前記音声合成パラメータに基づいて前記文字データを音声合成して音声合成信号を出力する音声合成手段と、前記出力された音声合成信号を前記子機の１つに送信する送信手段とを備え、前記子機は、前記親機の音声合成手段に前記文字データの音声合成を行うように要求する要求手段と、前記親機から送信された音声合成信号に基づいて音声を出力する音声出力手段とを備えることを特徴とする。
【０００８】
請求項２記載の無線通信装置は、請求項１記載の無線通信装置において、前記親機は、前記音声合成手段が作動しないように指令する指令手段を備えることを特徴とする。
【０００９】
請求項３記載の無線通信装置は、請求項１又は２記載の無線通信装置において、前記子機は、その子機自体の音声合成パラメータを記憶する第３の記憶手段と、当該音声合成パラメータを前記親機に送信する送信する他の送信手段とを備えることを特徴とする。
【発明の効果】
【００１０】
以上詳細に説明したように、本発明によれば、特定の内線子機に対して子機ユーザー専用に設定された音声合成出力条件を基に音声合成音を出力するので、親機及び子機で構成された無線通信装置において、合成音声を子機側で聞き易くすることができる。
【発明を実施するための最良の形態】
【００１１】
以下、本発明の実施の形態に係る無線通信装置を図面を参照しながら詳述する。
【００１２】
本発明の実施の形態に係る無線通信装置は、互いに無線通信可能な親機と子機とから成る無線通信装置において、親機が電話機、電話機能付きＦＡＸ等から成るものを対象とする。本実施の形態は、電話機能付きＦＡＸを例にとって説明がなされる。
【００１３】
図１は、本発明の実施の形態に係る無線通信装置の概略構成を説明する図である。
【００１４】
本発明の実施の形態に係る無線通信装置１１０は、アナログ電話回線又はＩＳＤＮ等の公衆回線１０２を収容する親機としての無線通信可能な電話機能付きＦＡＸ１００と、ＦＡＸ１００と無線通信可能な複数の子機１０１ａ，１０１ｂ，１０１ｃ，…とから構成される。ＦＡＸ１００は、電話機能及びブラウザ機能を搭載し、文字データの音声合成機能の他に文字データ（文字メッセージ）を送受信できるメール機能を備えている。公衆回線１０２は、相手端末１０３をも収容している。また、公衆回線１０２には、ＧＷ（ゲートウェイ）１０４を介してインターネット１０５が接続されており、ゲートウェイ１０４は、公衆回線１０２とインターネット１０５間のデータの変換処理を行う。インターネット１０５では、プロバイダを介して所望のサーバにアクセスし情報を得ることができる。
【００１５】
図２は、図１におけるＦＡＸ１００の内部構成を示すブロック図である。
【００１６】
図２において、ＦＡＸ１００は、主制御部２０１と、ＲＯＭ２０２と、ＲＡＭ２０３と、公衆回線１０２に無線通信で接続される通信処理部２０４と、ＤＳＰ（ディジタル信号処理プロセッサ）２０５と、アナログスイッチ部２０７と、オペレーション部２２４とを備え、これらはデータバス２２３を介して互いに接続されている。アナログスイッチ部２０７は、通信処理部２０４及びＤＳＰ２０５に夫々接続されており、また、アナログスイッチ部２０７には、音源部２０６、音声の入出力を行うハンドセット２０８、着信音や記憶した音声データの出力及びＦＡＸ通信時のモニタを行うスピーカ２０９、及び子機１０１と無線通信する無線部２１０が夫々接続されている。
【００１７】
オペレーション部２２４は、記録部２１１と、読取部２１２と、原稿検出部２１３と、表示部２１４と、キー入力部２１５と、フック検出部２１６とを備え、これらはデータバス２３０を介して互いに接続されていると共に、このデータバス２３０はデータバス２２３に接続されている。
【００１８】
主制御部２０１は、データバス２２３を介して各構成要素に信号を出力し、この信号に応じて各構成要素を制御する。即ち、主制御部２０１は、例えば、ＲＯＭ２０２に格納された呼処理プログラムに従って通話に伴う呼処理や各種サービス機能に伴う処理を実行する。サービス機能の一具体例として、主制御部２０１はユーザによってメール機能が起動されて文字メッセージが作成されると、その文字メッセージをテキストデータとしてＲＡＭ２０３に記憶させる。
【００１９】
通信制御部２０４は、公衆回線１０２を収容するためのインタフェースでありり、アナログ回線の場合、局交換機の電話回線（以後、加入者線と称す）に接続され、ダイオードによる全波整流回路により構成され、回線電圧の極性を一致させるための極性一致回路、回路局交換機の加入者線に接続され、局交換機からの呼出信号を検出するリンガー検出回路、オフフック操作が行われると回線ループを形成するとともに、局に対してダイヤルパルスを送出するフックスイッチ回路、２線−４線変換を行うためのトランス回路で構成されている。本実施例においてはアナログ回線をもとに記載しているが、ＩＳＤＮ等のデジタル回線やＡＤＳＬ回線において構成されることも容易に考えられる。
【００２０】
ＤＳＰ２０５は、呼処理を含むメールの送受信の各処理を実行するデータモデム機能と、Ｇ３ＦＡＸによるファクシミリ送受信を行うファクシミリモデム機能と、モデムデータ（ナンバーディスプレイデータ）の解析を行うコーラＩＤ機能と、文字データより音声合成して音声信号を出力する音声合成機能とを備えており、これらの機能は、主制御部２０１の制御により実現される。
【００２１】
音声合成機能は、具体的には、主制御部２０１の制御により入力した文字データを音声合成してアナログ音声信号としてアナログスイッチ部に出力する。すなわち、音声合成機能は、主制御部２０１の制御により入力した文字コードを５０音分の音声データに変換して再生する音声合成発声機能を備えている。５０音分の音声データはＲＯＭ２０２内に記憶されている。また、この音声データはＤＳＰ２０５の内部メモリ内に記憶されていてもよい。
【００２２】
ＲＯＭ２０２は、ＤＳＰ２０５によって実行されるデータモデム機能、ファクシミリ機能、コーラＩＤ機能、及び音声合成機能をＤＳＰ２０５に実現させるプログラムを格納している。ＲＯＭ２０２は、データの書込み消去が可能なＥ２ＰＲＯＭ又はフラッシュＲＯＭで構成してもよい。
【００２３】
ＲＡＭ２０３は、主制御部２０１が呼処理を含むメール送受信の各処理実行時に使用するメモリである。ここには、ＲＯＭ２０２と異なり、一時的なデータが記憶される。ＲＡＭ２０３は電池等でバックアップされ、作成した文字メッセージや受信した文字メッセージ、各種サービス機能の設定内容や電話帳に登録した内容を記憶する。また、ＲＡＭ２０３は、不揮発性のメモリとしてのＥ２ＰＲＯＭ等で構成してもよい。
【００２４】
音源部２０６は、保留音、１６和音の着信メロディーやＤＴ，ＢＴ, ＲＢＴ等のコールプログレストーンの音源データを内部に記憶しており、主制御部２０１の制御によりアナログ信号を出力する。またＤＴ，ＢＴ，ＲＢＴ等のコールプログレストーンを出力するための音源でもある。
【００２５】
アナログスイッチ部２０７は、主制御部２０１からの制御によりＤＳＰ２０５からの信号や音源部２０６、ハンドセット２０８、スピーカ２０９等のアナログ入出力信号の通信処理部２０４への入出力の切り替えを行う。
【００２６】
無線部２１０は、制御データ及び音声信号を変調して無線送信可能な形式に変換してアンテナに送ると共に、アンテナを介して無線受信した情報より復調されたデータを取り出し、制御データは主制御部２０１に出力し、アナログ信号はアナログスイッチ部に出力する。
【００２７】
以下、オペレーション部２２４を構成する各構成要素を説明する。
【００２８】
記録部２１１は、感熱型若しくは熱転写型プリンタ、又はレーザービームプリンタ、インクジェットプリンタ等の周知の印字手段を備え、ＭＨ，ＭＲ，ＭＭＲ符号化されたデジタルデータを復号化し、この復号化したデータを印字データとして印字を行う。
【００２９】
読取部２１２は、ＣＣＤ又は密着型センサアレイ等の周知の原稿読取手段を備え、該読取部２１２は読み取ったアナログデータをデジタルデータに変換すると共に、この変換されたデジタルデータをＭＨ，ＭＲ，ＭＭＲ等の周知の符号化方法により符号化して出力する。
【００３０】
原稿検出部２１３は、読取部２１２上の送信原稿の有無を検出して、その結果を主制御部２０１に通知する。
【００３１】
表示部２１４は、インターネット上のサーバより受信したＨＴＭＬの情報を表示するとともに、時刻の表示や通信中の回線状態及びエラー等の状態の表示を行い、おもに液晶等で構成される。また、表示部２１４は、キー入力部２１５でキー入力された文字メッセージや受信した文字メッセージも表示する。さらには、電話機の各種サービス機能の設定内容も表示する。
【００３２】
キー入力部２１５は、ダイヤル番号やＵＲＬ等を０〜９及び＊、＃及び前記キーを利用しアルファベットや記号等を入力するためのダイヤルキー、ファクシミリの送受信を制御する送信、受信キー、回線のＯＮ/ＯＦＦを制御するオフフックキー、その他保留キー、や機能設定を行うためのセレクトキー等のキーから構成される。
【００３３】
キー入力部２１５は、メール送信時、文字メッセージを入力したり編集したりする文字入力手段として機能する。さらに、メール機能を起動して文字メッセージの送信処理、受信処理を行う場合もこのキー入力部２１４を用いる。また、メール機能により作成した文字メッセージや受信した文字メッセージを音声出力したり、設定したサービス機能の内容を音声出力したりする場合も、このキー入力部２１５の所定のキーを操作することにより行う。
【００３４】
上記表示部２１４及びキー入力部２１５は、具体的には、図３に示すようにオペレーション部２２４に組み込まれている。図３において、キー入力部２１５に属する各種キーは、具体的には、機能設定を行うセレクトキー４０１、保留キー４０３、ＦＡＸの送受信を制御する送信キー４０４及び受信キー４０５、回線のオン／オフを制御するオフフックキー４０６、及びにテンキー４０８を含む。図３における表示部２１４の表示形態の例を図４に示す。
【００３５】
フック検出部２１６は、特にハンドセット２０８のＯＮ／ＯＦＦを検出して回線ＯＮ／ＯＦＦを制御する。
【００３６】
主制御部２０１は、文字メッセージの送信操作が行われると、ＲＯＭ２０２に格納しているデータモデム制御のプログラムをロードしＤＳＰ２０５をデータモデムとして制御する。ＲＡＭ２０３に記憶された文字メッセージの中から指定された文字メッセージのデータを読み上げ、文字メッセージの送信処理を実行する。主制御部２０１はまた、作成した文字メッセージの音声出力操作を検出すると、ＲＯＭ２０２内の音声合成プログラムを起動し、ＤＳＰ２０５を音声合成機能に設定する。その後ＲＡＭ２０３内の所定の文字データをＤＳＰ２０５内の音声合成機能に出力して音声合成を行い、アナログスイッチ部を介してスピーカ２０９や無線部２１０に対して音声出力する。
【００３７】
また、主制御部２０１は、メール受信時ＤＳＰ２０５をデータモデムとして制御することで文字メッセージを受信すると、そのデータをテキストデータとしてＲＡＭ２０３に記憶させる。主制御部２０１は、ＦＡＸ１００において受信した文字メッセージの内容を確認する命令を受けると、該当する文字メッセージを表示部２１４に表示する。主制御部２０１はまた、受信した文字メッセージの音声出力命令を検出すると、先程と同様にその文字データを音声合成機能に設定されているＤＳＰ２０５に出力して音声合成を行い、アナログスイッチ部を介してスピーカ２０９より音声出力する。
【００３８】
また、無線部２１０を介し、子機からのリモート操作により受信している文字メッセージの読上げ命令を受けると、ＤＳＰ２０５を制御するととともにアナログスイッチ部を制御することでＤＳＰ２０５からの音声合成信号を無線部２１０に出力する。
【００３９】
図５は、図１における子機１０１の内部構成を示すブロック図である。
【００４０】
図５において、子機１０１は、主制御部３０１と、ＲＯＭ３０２と、ＲＡＭ３０３と、キー入力部３０４及び表示部３０５を有するオペレーション部３１１と、無線通信処理部３０６とを備え、これらは、データバス３１０を介して互いに接続されている。子機１０１は、さらに、無線通信処理部３０６に夫々接続された無線部３０７、マイク３０８、及びスピーカ３０８を備える。
【００４１】
主制御部３０１は、無線電話機１０１全体の制御を司る。ＲＯＭ３０２は、主制御部３０１の制御プログラムが格納されたＲＯＭ、本無線通信システムの呼出符号（システムＩＤ）、無線電話機のサブＩＤを記憶するＥＥＰＲＯＭや、ＦＡＸ１００からのメールを受信した時に文字データを格納したり、電話帳データを記憶するためのフラッシュＲＯＭで構成される。ＲＡＭ３０３は、主制御部３０１の処理で制御の為のワークエリアとなる。
【００４２】
キー入力部３０４は、ダイヤル番号等を入力するダイヤルキーや、外線キー、保留キー、スピーカキー、電話帳キー等の機能キーから構成される。表示部３０５は、着信の表示やキー入力部３０４より入力されるダイヤル番号や公衆回線の使用状況等を表示する。
【００４３】
上記キー入力部３０４及び表示部３０５は、具体的には、図６に示すようにオペレーション部３１１の盤面に組み込まれている。図６において、キー入力部３０４に属する各種キーは、具体的には、機能設定を行うセレクトキー６０１、保留キー６０３、ＦＡＸの送受信を制御する送信キー６０４、切断キー６０５、回線のオン／オフを制御するオフフックキー６０６、及びテンキー４０８を含む。図６における表示部３０５の表示形態の例を図７に示す。
【００４４】
無線通信処理部３０６は、モデム・コンパンダ、秘話・アンプ機能を有し、制御データ及び音声信号の送受信を可能とする。この無線通信処理部３０６からの変調信号を、後述する無線部３０７を介してＦＡＸ１００に伝送すると共に、無線部３０７からの変調信号を復調し制御信号は主制御部３０１、音声信号はスピーカ３０９へと出力する。
【００４５】
無線部３０７は、電話機能付きＦＡＸ１００と通信するものであり、無線通信処理部３０６からの変調信号を無線送信可能な形式に変換してアンテナに送ると共に、アンテナより無線受信した信号より変調信号を取り出し無線通信処理部３０６に出力する。マイク３０８は、通話音声信号の入力を行い、スピーカ３０９は、音声信号の拡声出力及び着信音等を鳴動させる。
【００４６】
図８は、図１におけるＦＡＸ１００によって実行される音声合成信号送信処理を示すフローチャートである。
【００４７】
図８において、主制御部２０１がデータバス２２３を介して子機１０１ａからのメール読み上げ要求信号を受信すると（ステップＳ１０１）、主制御部２０１は要求を出した子機１０１ａの情報に基づいてＲＡＭ２０３内の登録内容を参照して、要求を行った子機１０１ａの登録内容を確認し（ステップＳ１０２）、次いで、主制御部２０１は子機１０１ａへの音声出力に対する特別な設定がなされているか否かを判別する（ステップＳ１０３）。
【００４８】
ステップＳ１０３の判別の結果、子機１０１ａへの音声出力に対する特別な設定がなされていないときは、予め登録されていたデフォルトの音声信号を子機に送信し（ステップＳ１０７）、本処理を終了する。一方、ステップＳ１０３の判別の結果、子機１０１ａへの音声出力に対する特別な設定がなされているときは、主制御部２０１は、子機１０１ａからのメールの読み上げ要求を受け付けるか否かを判別し（ステップＳ１０４）、受け付けないときは、無線部２１０を介して子機１０１ａに対してメール読み上げ要求を受け付けない旨の読み上げ禁止設定通知を行った後（ステップＳ１０８）、本処理を終了する。
【００４９】
ステップＳ１０４の判別の結果、子機１０１ａからのメールの読み上げ要求を受け付けるときは、主制御部２０１は、後述する図１０又は図１１の音声合成信号設定処理により音声合成信号が設定されているか否かを判別する（ステップＳ１０５）。
【００５０】
ステップＳ１０５の判別の結果、音声合成信号が設定されていないときは、ステップＳ１０７のデフォルト音声信号を子機１０１に送信した後、本処理を終了し、一方、音声合成信号が設定されているときは、設定されている音声合成信号の音質、音量、送話速度に応じてＲＡＭ２０３に記憶されている文字データ（文字メッセージ）を検索してこの文字データをＤＳＰ２０５に転送することにより、ＤＳＰ２０５により音声合成データをアナログスイッチ部を介して子機１０１ａに対して送信して（ステップＳ１０６）、本処理を終了する。
【００５１】
図８の処理により、音声合成信号が設定されているときは（ステップＳ１０５でＹＥＳ）、設定されている音声合成音の音質、音量、総和速度に応じて文字データを検索してこの文字データを子機１０１ａに対して音声合成信号を送信する（ステップＳ１０６）ので、子機毎に設定されている音声合成音の音質、音量、総和速度に応じて音声を発することができ、音声合成音を子機１０１a側で聞き易くすることができる。
【００５２】
図９は、図１における子機によって実行されるメール読み上げ処理のフローチャートである。
【００５３】
図９において、主制御部３０１がＦＡＸ１００からの受信メールを受け取ると（ステップＳ２０１でＹＥＳ）、キー入力部３０４の機能キー６０１が押下された後、選択キー６０６によりメール読み上げが選択された場合、無線部３０６を制御して、ＦＡＸ１００に対して、受信したメールを転送するために、無線によるＦＡＸ１００との接続処理を行い、主制御部３０１は、ＦＡＸ１００から音声合成信号を無線通信処理部３０６を介して受信する（ステップＳ２０２）。主制御部３０１は、ＲＡＭ３０３に記憶されている前回の受信レベル設定状態を参照し、受信レベル設定されているか否かを判別し(ステップＳ２０３)、受信レベルが設定されているときは、主制御部３０１は、無線通信処理部３０６内のアッテネータを制御して、スピーカ３０９より出力される音声レベルを調整し、無線通信処理部３０６を制御してＦＡＸ１００から受信した音声合成信号をスピーカ３０９に接続することにより音声出力を行って（ステップＳ２０４）、本処理を終了する。ステップＳ２０３の判別の結果、受信レベルが設定されていないときは、ステップＳ２０２の処理を繰り返して、音声合成信号を受信する。図９の処理により、子機１０１が受信メールを受け取ると（ステップＳ２０１でＹＥＳ）、ＦＡＸ１００から音声合成信号を受信して（ステップＳ２０２）、音声を出力する（ステップＳ２０４）ので、子機１０１ａにおいてメールの読み上げを聞くことができる。
【００５４】
図１０は、図１におけるＦＡＸ１００によって実行される子機毎の音声合成信号設定処理を示すフローチャートである。
【００５５】
図１０において、主制御部２０１は、キー入力部２１５の機能キー４０１が押下された後、選択キー４０６により音声合成信号出力の設定が選択され、さらに、例えば子機１０１ａが指定されると、表示部２１４に図４のような指定子機設定の情報が表示され、この後、選択キー４０６により図４に示す画面で「子機１０１ａ出力可否設定（メール読み上げ可否設定）」の項目で「不可」が選択されたが否かを判別し（ステップＳ３０２）、「不可」が選択されたときは、主制御部２０１は、子機１０１ａからの要求による音声合成信号出力を不許可と設定して図４の画面を表示部２１４に表示することなく、本処理を終了する。
【００５６】
ステップＳ３０２の判別の結果、「可」が選択されたときは、選択キー４０６の下矢印キーの押下により、子機１０１ａの指定を行う（ステップＳ３０３）（図４）。子機１０１ａの指定は、「子機１０１ａ」の項目でＹｅｓを選択することにより行う。次いで、カーソルを「音声選択（高温、普通、低温）」、「音量（大、中、小）」、「速度（速く、普通、遅く）」に順次合わせて、夫々変更設定を行い（ステップＳ３０４でＹＥＳ）、変更設定が完了すると（ステップＳ３０５でＹＥＳ）、子機１０１ａの指定設定情報、並びに音声選択、音量及び速度の各設定情報に基づいて、それに対応する音声合成信号パターンを予めＲＡＭ２０３に登録したデータから検索することにより所定の音声合成信号パターンを設定して（ステップＳ３０６）、本処理を終了する。
【００５７】
ステップＳ３０３の判別の結果、子機指定設定がないとき、又はステップＳ３０４の判別の結果、出力音質等変更設定がないときは、主制御部２０１は子機１０１ａにデフォルト音声信号を送信して（ステップＳ３０７）、本処理を終了する。
【００５８】
図１０の処理によれば、ＦＡＸ１００側で、子機１０１ａの音声合成信号パターンを設定することができる。
【００５９】
図１１は、図１における子機によって実行される子機毎の音声合成信号パターン処理を示すフローチャートである。
【００６０】
図１１において、主制御部３０１は、キー入力部３０４の機能キー６０１が押下された後、選択キー４０６により音声合成信号出力の設定が選択されると、表示部３０５に図７のような設定の情報が表示され、この後、選択キー６０６により図７に示す画面で「出力可否」設定（メール読み上げ可否設定）」の項目で「不可」が選択されたが否かを判別し（ステップＳ４０２）、「不可」が選択されたときは、主制御部３０１は、自端末からの要求による音声合成信号出力を不許可と設定して（ステップＳ４０９）、表示部３０５への音声合成信号出力設定表示（図７）を終了し、ＦＡＸ１００に対して自端末からの音声合成を行わない旨の通知を行って（ステップＳ４０７）、本処理を終了する。
【００６１】
ステップＳ４０２の判別の結果、「可」が選択されたときは、選択キー６０６の下矢印キーの押下により、自端末の指定を行う（ステップＳ４０３）（図７）。自端末の指定は、「指定」の項目でＹｅｓを選択することにより行う。次いで、カーソルを「音声選択（高温、普通、低温）」、「音量（大、中、小）」、「速度（速く、普通、遅く）」に順次合わせて、夫々変更設定を行い（ステップＳ４０４でＹＥＳ）、変更設定が完了すると（ステップＳ４０５でＹＥＳ）、自端末の指定設定情報、並びに音声選択、音量及び速度の各設定情報に基づいて、それに対応する音声合成信号パターンを予めＲＡＭ３０３に登録したデータから検索することにより所定の音声合成信号パターンを設定して（ステップＳ４０６）、次いで、前述のステップＳ４０７でＦＡＸ１００に対して自端末からの音声合成を行わない旨の通知を行って、本処理を終了する。
【００６２】
また、ステップＳ４０３の判別の結果、子機指定設定がないとき、又はステップＳ４０４の判別の結果、出力音質等変更設定がないときは、主制御部３０１は自端末にデフォルト音声信号を送信して（ステップＳ４０７）、本処理を終了する。
【００６３】
図１１の処理によれば、子機１０１側で、自端末の音声合成信号パターンを設定することができる。
【００６４】
なお、音声選択（高音、普通、低音）、音量（大、中、小）、速度（速く、普通、遅く）の項目は、メールの再生中でも子機１０１で設定し直すことにより、ＦＡＸ１００へその設定が通知され、設定を変更可能とすることもできる。さらに、その設定は、一時的な変更でもよいが、メールの再生中に、子機による設定変更があれば、変更後の設定をＦＡＸ１００の設定に登録し、以降、新しい設定で再生してもよい。
【００６５】
また、これらの設定を再生中に変えられるようにすれば、再生中に設定を変えたいと思ったユーザーの操作性を向上することが出来る。
【００６６】
本発明は、上述した実施の形態の機能を実現するソフトウェアのプログラム（図８乃至１１のフローチャート）をコンピュータ又はＣＰＵに供給し、そのコンピュータ又はＣＰＵが該供給されたプログラムを読出して実行することによって、達成することができる。
【００６７】
この場合、上記プログラムは、該プログラムを記録した記憶媒体から直接供給されるか、又はインターネット、商用ネットワーク、若しくはローカルエリアネットワーク等に接続される不図示の他のコンピュータやデータベース等からダウンロードすることにより供給される。
【００６８】
上記プログラムの形態は、オブジェクトコード、インタプリタにより実行されるプログラムコード、ＯＳ（オペレーティングシステム）に供給されるスクリプトデータ等の形態から成ってもよい。
【００６９】
また、本発明は、上述した実施の形態の機能を実現するソフトウェアのプログラムを記憶した記憶媒体をコンピュータ又はＣＰＵに供給し、そのコンピュータ又はＣＰＵが記憶媒体に記憶されたプログラムを読出して実行することによっても、達成することができる。
【００７０】
この場合、格納媒体から読出されたプログラムコード自体が上述した各実施の形態の機能を実現すると共に、そのプログラムコードを記憶した記憶媒体は本発明を構成する。
【００７１】
プログラムコードを記憶する記憶媒体としては、例えば、ＲＯＭ、ＲＡＭ、ＮＶ−ＲＡＭ、フロッピー（登録商標）ディスク、ハードディスク、光ディスク（登録商標）、光磁気ディスク、ＣＤ−ＲＯＭ、ＭＯ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード等がある。
【００７２】
上述した実施の形態の機能は、コンピュータから読出されたプログラムコードを実行することによるばかりでなく、コンピュータ上で稼動するＯＳ等がプログラムコードの指示に基づいて実際の処理の一部又は全部を行うことによっても実現することができる。    
【図面の簡単な説明】
【００７３】
【図１】本発明の実施の形態に係る無線通信装置の概略構成を説明する図である。
【図２】図１におけるＦＡＸ１００の内部構成を示すブロック図である。
【図３】図２におけるオペレーション部２２４の盤面構成を示す図である。
【図４】図３における表示部２１４の表示形態の例を示す図である。
【図５】図１における子機１０１の内部構成を示すブロック図である。
【図６】図５におけるオペレーション部３１０の盤面構成を示す図である。
【図７】図４における表示部３０５の表示形態の例を示す図である。
【図８】図１におけるＦＡＸ１００によって実行される音声合成信号送信処理を示すフローチャートである。
【図９】図１における子機によって実行されるメール読み上げ処理のフローチャートである。
【図１０】図１におけるＦＡＸ１００によって実行される子機毎の音声合成信号パターン設定処理を示すフローチャートである。
【図１１】図１における子機１０１によって実行される子機毎の音声合成信号パターン設定処理を示すフローチャートである。
【符号の説明】
【００７４】
２０１  主制御部
２０２  ＲＯＭ
２０３  ＲＡＭ
２０４  通信処理部
２０５  ＤＳＰ
２０６  音源部
２０７  アナログスイッチ部
２０８  ハンドセット
２０９  スピーカ
２１０  無線部
２１１  記録部
２１２  読取部
２１３  原稿検出部
２１４  表示部
２１５  キー入力部
２１６  フック検出部
２２３  データバス
【図１】
2005110137.tif 000003
【図２】
2005110137.tif 000004
【図３】
2005110137.tif 000005
【図４】
2005110137.tif 000006
【図５】
2005110137.tif 000007
【図６】
2005110137.tif 000008
【図７】
2005110137.tif 000009
【図８】
2005110137.tif 000010
【図９】
2005110137.tif 000011
【図１０】
2005110137.tif 000012
【図１１】
2005110137.tif 000013